(57)【特許請求の範囲】
【請求項１】
バンド幅が２０ｍｍ〜２００ｍｍのベルト状織布からなり、荷重９８Ｎにおける長手方向のクリープ伸度が５％以下であり、該織布のタテ糸が少なくともフラットヤーンを含む事を特徴とする農業用ハウスバンド。
【請求項２】
長手方向の剛軟度が５ｃｍ〜２５ｃｍである事を特徴とする請求項１記載の農業用ハウスバンド。
【請求項３】
長手方向の引張破断強度が６００Ｎ以上、且つ引張破断伸度が５０％以下である事を特徴とする請求項１又は２記載の農業用ハウスバンド。
【請求項４】
前記織布のタテ糸がフラットヤーンとモノフィラメントからなる事を特徴とする請求項１〜３のいずれか１項記載の農業用ハウスバンド。
【請求項５】
前記フラットヤーンが熱可塑性樹脂からなる、請求項１〜４のいずれか１項記載の農業用ハウスバンド。
【請求項６】
前記熱可塑性樹脂がポリオレフィン系樹脂である、請求項５記載の農業用ハウスバンド。
【請求項７】
前記熱可塑性樹脂がポリエチレンである、請求項５記載の農業用ハウスバンド。
【発明の詳細な説明】
【技術分野】
【０００１】
本発明は、農業用ハウスに被覆展設する農業用フィルムを押さえるためのハウスバンドに関する。
【背景技術】
【０００２】
従来から、金属パイプ等で構築された骨組の外側に、塩化ビニル系樹脂等で作られた農業用フィルムを被覆展設した農業用ハウスが広く用いられてきた。これら農業用ハウスにおいては、強い風雨により吹き飛ばされないようにフィルムを押さえるハウスバンドが使用されている。かかるハウスバンドとしては、両端部が繊維やワイヤー等で補強されたポリエチレン製成形体等で、バンド幅が１０ｍｍ〜２０ｍｍと狭幅な繊維補強された黒色バンドが知られている（例えば、特許文献１参照）。
【０００３】
近年、廃棄物処理等の観点から、塩化ビニル系樹脂製農業用フィルム（以下「農ビ」と略記する）に代わり、ポリオレフィン系樹脂製農業用フィルム（以下「農ＰＯ」と略記する）を被覆展設する農業用ハウスが多くなっている。しかし、農ＰＯは従来の農ビに比較して耐摩耗性が低いという欠点を有している。このために従来の狭幅繊維補強黒色バンドを用いると、農ＰＯが繊維補強部等の硬質部分との接触部で擦られて白化し、擦れ破れが発生する場合がある。一般に、ハウスバンドの幅が狭い程フィルムとの接触部に力が集中するため、強風環境程フィルムの擦れ破れが顕著に発生する。また黒色バンドは光線を透過させないため、ハウス内部への日光照射が遮られ部分的に生育障害となる問題があった。
【０００４】
更に従来のハウスバンドは硬いために、被覆展設の際、農業用ハウス両側面下部に結び固定する作業（以下「結束」という）が容易でないばかりか、被覆展設後に結束が緩んだり、クリープ変形による伸びが生じて農業用フィルムがばたつくようになるため、定期的にハウス両側面下部の結束をやり直す必要がある。この結束と解き作業の煩雑さを解消することが望まれていた。
【０００５】
そこで農ＰＯ用ハウスバンド向けに、広幅透明フィルムのハウスバンドが提案されている（例えば、特許文献２、３及び４参照）。これらのハウスバンドは透光性があり、農業用フィルムの擦れ破れを抑制する点では優れているが、結束性が劣る為、展張後の緩みが速く農業用フィルムがばたつくという問題がある。また広幅のハウスバンドは農業用フィルムと面で接触し接触面に雨水や露等が溜まり易いため、コケやカビが発生し易く、その結果透光率が大幅に低下するという問題がある。更には接触面が雨水や露等で濡れ密着過多となり、ハウスバンドが緩んだ場合の調整作業が困難である事も指摘されており、これら問題点の改善が望まれている。又ハウスのフィルム押さえに可撓性のロープ又はネット、帯状のシート又はネットが提案されているが、仕様や効果等の詳細記述は無い。（例えば、特許文献５及び６参照）
【０００６】
【特許文献１】実開平１−１４１７９６号公報
【特許文献２】特開２０００−１６６３９７号公報
【特許文献３】特開２００１−１２００７７号公報
【特許文献４】特開２００３−２８９７２５号公報
【特許文献５】特開昭５８−１７０４１４号公報
【特許文献６】特開昭６２−２９６８２０号公報
【発明の開示】
【発明が解決しようとする課題】
【０００７】
本発明は、上述した従来型の農業用ハウスバンド(黒バンド)を使用した際の、１）擦れ破れ、２）ハウス内照度の低下、３）結束作業性不十分、４）結束後の緩みによる農業用フィルムのバタツキ、更に農ＰＯ用ハウスバンド向け広幅透明フィルムのハウスバンドを使用した際の、１）結束不良による展張後のバタツキ、２）ハウス内照度の低下等の課題を解決し、農業用ハウスに被覆展設される農業フィルムを、擦れ破れを発生させず、ハウス内照度を低下させず且つ結束及び解き作業が容易な雨水等で濡れた場合密着過多とならない農業用ハウスバンドを提供することを目的とする。
【課題を解決するための手段】
【０００８】
本発明者等は、かかる課題を解決するため鋭意検討した。その結果、バンド幅が２０ｍｍ〜２００ｍｍのベルト状織布からなり、荷重９８Ｎ（１０ｋｇｆ）における長手方向のクリープ伸度が５％以下であり、該織布のタテ糸が少なくともフラットヤーンを含む事を特徴とする農業用ハウスバンドによって前記課題が解決されることを知りその知見に基づいて本発明を完成した。
【０００９】
本発明は、以下によって構成される。
１．バンド幅が２０ｍｍ〜２００ｍｍでベルト状織布からなり、荷重９８Ｎにおける長手方向のクリープ伸度が５％以下であり、該織布のタテ糸が少なくともフラットヤーンを含む事を特徴とする農業用ハウスバンド。
【００１０】
２．長手方向の剛軟度が５ｃｍ〜２５ｃｍである事を特徴とする前記項１記載の農業用ハウスバンド。
【００１１】
３．長手方向の引張破断強度が６００Ｎ以上、且つ引張破断伸度が１００％以下である事を特徴とする前記項１又は２記載の農業用ハウスバンド。
【００１２】
４．前記織布のタテ糸がフラットヤーンとモノフィラメントからなる事を特徴とする前記項１〜３のいずれか１項記載の農業用ハウスバンド。
【００１３】
５．前記フラットヤーンが熱可塑性樹脂からなる、前記項１〜４のいずれか１項記載の農業用ハウスバンド。
【００１４】
６．前記熱可塑性樹脂がポリオレフィン系樹脂である、前記項５記載の農業用ハウスバンド。
【００１５】
７．前記熱可塑性樹脂がポリエチレンである、前記項５記載の農業用ハウスバンド。
【発明の効果】
【００１６】
本発明の農業用ハウスバンドは、農業用ハウスに被覆展設される農ＰＯを含めた農業用フィルム用ハウスバンドとして使用可能で、従来の黒色バンドに比べ、擦れ破れを生ぜずに、広い範囲で農業用フィルムを押さえる作用を発揮する。さらにハウス内照度や透光率を低下させず、農業用ハウス内の作物の生育性を低下させることなく、且つ結び固定する作業が容易にできる等実用的な利点を有する。
【発明を実施するための最良の形態】
【００１７】
以下、本発明を詳細に説明する。本発明の農業用ハウスバンドは、バンド幅が２０ｍｍ〜２００ｍｍでベルト状織布からなり、荷重９８Ｎにおける長手方向のクリープ伸度が５％以下であり、該織布のタテ糸が少なくともフラットヤーンを含む成形体であれば特に限定されるものでは無く、該フラットヤーンにマルチフィラメントやモノフィラメントを加
えた構成も例示でき、特にモノフィラメントを加えたタテ糸は耐磨耗性、耐久性の点で好ましい。該バンド幅が一定の場合、タテ糸本数つまり織り密度が大きいほど機械強度に優れる反面柔軟性が失われ結束性は低下する。一方、織り密度が一定の場合、タテ糸径つまり繊度が大きいほど機械強度に優れる反面柔軟性が失われ結束性は低下する。該フラットヤーンの繊度は２２０ｄｔｅｘ〜６６００ｄｔｅｘ、好ましくは５５０ｄｔｅｘ〜２２００ｄｔｅｘ、織り密度は１０本／２５．４ｍｍ〜１００本／２５．４ｍｍ、好ましくは２０本／２５．４ｍｍ〜５０本／２５．４ｍｍである。該モノフィラメントの繊度は２２０ｄｔｅｘ〜１１００ｄｔｅｘ、好ましくは３３０ｄｔｅｘ〜７７０ｄｔｅｘ、織り密度は４本／２５．４ｍｍ〜５０本／２５．４ｍｍ、好ましくは１０本／２５．４ｍｍ〜３０本／２５．４ｍｍである。フラットヤーンは１軸延伸スリットテープの他に、該テープをタテに細かく引裂き糸状にしたスプリットヤーンも例示する事ができる。安定した高い品質の織物を経済的に得るため、織布の材質は熱可塑性樹脂が好ましい。該熱可塑性樹脂としては、紡糸可能であれば特に限定されるものでは無く、ポリエチレンやポリプロピレン等のポリオレフィン樹脂、ポリエチレンテレフタレート樹脂、ポリ塩化ビニリデン樹脂、ナイロン樹脂、アクリル樹脂等が例示されるが、軽量で運搬しやすく、比較的安価で機械的特性に優れ、廃棄物処理が容易なポリオレフィン系樹脂が特に好ましい。
【００１８】
ベルト状織布のヨコ糸は織布組織が崩れない範囲で、繊度小さく、密度の粗い方が結束性に優れるため緩み難い効果となる。ヨコ糸の種類は特に制限されないが、モノフィラメントやマルチフィラメント、フラットヤーンが例示できる。
【００１９】
これらの樹脂またはこれらの混合物には、必要に応じて通常ポリオレフィン樹脂に添加される酸化防止剤、紫外線吸収剤、光安定剤等の安定剤や着色剤、滑剤、帯電防止剤、抗菌剤、艶消剤、光触媒、害虫忌避剤、防カビ剤、害鳥忌避剤等の添加剤を添加することができる。
【００２０】
ベルト状織布の一例としてタテ糸／ヨコ糸がポリオレフィン系フラットヤーンからなる平織されたテープ状織布の詳細を説明する。
【００２１】
前記フラットヤーンの製造方法は、押出しＴダイ法または押出しインフレーション法によりフィルムを成形し、一旦冷却固化したフィルムをスリットした後延伸温度は７０〜１２０℃好ましくは８０〜１１０℃まで再加熱して３〜１０倍好ましくは５〜８倍延伸し、アニール処理を経てフラットヤーンを形成する。該ヤーンの構造は単層／多層のどちらでも良いが、製織後の交点接着を目的に外層が内層より低融点温度の樹脂からなる多層ヤーンをタテ／ヨコ糸に用いて熱接着させる事も出来る。押出法による紡糸は複数の押出機を用いて多層押出しする等公知の技術で可能である。
【００２２】
本発明において、ベルト状織布は得られた該フラットヤーンをタテ／ヨコ糸に配して従来のシャトル織機、レピア織機、エアージェット織機、ウオータージェット織機、力織機、サーキュラー織機、ベルト織機などにより得られる。織り組織は平織り、綾織り、絡み織り、ラッセル織り、ニット織り、柄織りなどが例示できるが生産性等の面より平織りや綾織りが好ましい。広幅原反から所定幅のベルトを得る方法として、交点接着された原反を一般のスリット加工することで可能であるが、交点未接着の場合は長さ方向端面の解れ防止を目的に溶断スリット、融着溶着テープ、又はバイアステープ縫製などが例示される。
【００２３】
本発明の農業用ハウスバンドに用いられるベルト状織布成形体の幅は２０ｍｍ〜２００ｍｍ、好ましくは３０ｍｍ〜８０ｍｍである。バンド幅が上記の範囲内であれば、農業用フィルムを押さえる作用が十分であり、被覆展設の際の農業用ハウス両側面下部への結束性も良い。
ハウスバンドは結束作業時に受ける張力で展張中にクリープ変形して伸ばされ、農業フィルムを押え付ける力を失った結果、農業フィルムのバタツキが特に夏場高温下で顕著となる。これを防止する観点から、本発明の農業用ハウスバンドの荷重９８Ｎにおける長手方向のクリープ伸度は５％以下が好ましい。前記クリープ伸度は、例えば後述の実施例に示すように、長さ５ｍのハウスバンドの一端をハウス下部に固定し、もう片方の一端に９８Ｎ荷重を掛け３０日後の標線間長さの変化に基づいて算出される。
【００２４】
本発明の農業用ハウスバンドの長手方向の剛軟度は５ｃｍ〜２５ｃｍが好ましい。剛軟度は、例えば後述の実施例のように、ＪＩＳ  Ｌ  １０９６  剛軟性Ａ法に準拠して測定される。剛軟度が上記の範囲内であれば、強度不足による破れがなく、柔軟性不足による結束性の悪化もない。
【００２５】
本発明の農業用ハウスバンドの長手方向の引張破断強度は６００Ｎ以上である事が好ましい。６００Ｎ以上あれば農業用ハウスフィルムが強風を受け伸ばされてもバンド自体は破断に絶え得る。農業用ハウスバンドの長手方向の引張破断伸度は５０％以下である事が好ましい。農業フィルムのバタツキ防止や使用中のクリープ変形防止の観点から３０％以下がより好ましい。上述の引張破断強度及び伸度は、例えば後述の実施例のように、ＪＩＳ  Ｌ  １０９６に準拠して測定される。
【実施例】
【００２６】
以下、実施例に基づいて本発明をさらに詳しく説明するが、本発明はこれらの実施例に限定されるものではない。次に実施例、比較例で用いられた物性測定法及び性能評価法を示す。
（ａ）クリープ伸度
長さ５ｍのハウスバンドを農業ハウスのフィルム抑えとして施工する際、バンドの一端をハウス下部に固定し、もう片方の一端に９８Ｎ荷重を掛け３０日後の標線間長さの変化を測定した。測定は夏季高温下の屋外に付き、日中外気温３０〜３５℃、日没後外気温２０〜２５℃の環境下で実施した。次の計算式より９８Ｎ荷重伸度を求める。数値が小さい程、強風や結束作業によりハウスバンドが継続的に受ける応力に対し変形し難い事を意味する。９８Ｎ荷重伸度（％）＝（標線間長さの変化÷元のバンド長さ）×１００
【００２７】
（ｂ）剛軟度
ＪＩＳ  Ｌ  １０９６  剛軟性Ａ法（４５°カンチレバー法）に準拠して実施した。
ハウスバンド成形体の撓み剛性の指標となり、数値が大きい程剛性が高く、いわゆる「腰」が強い。数値が小さい程剛性が低い為、結束し易く緩みにくい理想的な特性となる。又、測定に用いた試料の幅寸法は裁断調整せず、規定バンド幅のまま実施した。
【００２８】
（ｃ）引張破断強度及び伸度
ＪＩＳ  Ｌ  １０９６に定める引張試験測定法に準拠して実施した。
試験片寸法は、規定バンド幅×長さ３００ｍｍ、ストログラフ（（商品名）、（株）東洋精機製作所製）にてチャック間距離２００ｍｍ、引張速度２００ｍｍ／分で測定した。測定の際チャック挟圧された試料は滑り易く伸度が大きく影響されるため、滑り止めを適宜装着して測定する事が望ましい。
【００２９】
（ｄ）農業ハウスフィルムの擦れ破断
農業ハウスフィルムが展張されている間口６ｍの蒲鉾型農業用ハウスをハウスバンドで覆い３ヶ月後に目視観察した。農業ハウスの設置場所は熊本県芦北郡であった。
◎：緩み無く農業ハウスフィルムを確実に押さえ付けているため擦れ破断なし。
○：若干緩みは有るがハウスフィルムを押さえ付けているため擦れ破断なし。
△：緩みはあるがハウスフィルムを押さえ付けているため擦れ破断は僅かに発生。
×：緩みが有りハウスフィルムと接触しているが押さえ付け効果は発現していないので擦れ破断が発生した。使用不可レベル。
××：緩みが非常に多くハウスフィルムとの接触が不十分であるため、強風時にはハウスフィルムが大きく膨らみ擦れ破断が広域に渡り発生。使用不可レベル。
【００３０】
（ｅ）農業ハウスフィルムの応力集中破断
上記農業ハウスフィルムの擦れ破断評価と同時に実施した。ハウスバンドによる骨材部肩付近の農業ハウスフィルムへの応力集中で破断するかを目視観察した。（図参照）
◎：農業ハウスフィルムの破れは全く見られない。
○：農業ハウスフィルム表面に微細な傷が確認されるが、ピンホール等を含めた破れは見られない。
△：擦れ傷による細かい破断は観察されるが実用上問題ないレベル。
×：ハウス骨材との接点をメインに破断が確認される。
××：高範囲に渡り破断が確認される。
【００３１】
（ｆ）結束・解き作業性
上記農業ハウスフィルムの擦れ破断評価の際に確認した。
◎：速やかに作業が遂行できる。結束後の経時緩みが殆ど発生しない。
○：速やかに作業が遂行できる。結束後の経時緩みが若干発生する。
△：多少手間取るが作業は遂行できる。結束後の経時緩みは発生するが使用可    能レベル。
×：手間取りながらも作業は可能。結束後の経時緩みが発生し使用不可レベル。
××：結束作業自体が困難。結束後瞬く間に緩んでしまい使用不可レベル。
【００３２】
（ｇ）ハウスバンドの耐摩耗・耐久性
上記農業ハウスフィルムの擦れ破断評価と同時に実施した。１年後、バンド表面の目視評価を実施した。
◎：ハウスバンド表面に変化は見られず初期状態のままである。
○：ハウスバンド表面に微細な擦れ傷が確認される以外、初期状態が維持されている。
△：ハウスバンド表面に擦れ傷による毛羽立ちが確認されるが実用上問題ないレベル。
×：ハウスバンド表面に擦れ傷によるタテ糸の一部破断が確認され、継続使用すればバンド破断に発展する可能性がある。
××：ハウスバンド表面に擦れ傷によるタテ糸の破断が多数確認され、バンド破断する可能性が大きい。
【００３３】
（ｈ）生育障害
上記農業ハウスフィルムの擦れ破断評価の際に確認した。
◎：全く発生なし。
○：殆ど発生しない。
△：多少発生するが問題ないレベル。
×：発生が認められ使用不可レベル。
××：著しく発生した。
【００３４】
（ｉ）ハウス被覆フィルムとのブロッキング
◎：全く発生なし。
○：殆ど発生しない。
△：多少発生するが問題ないレベル。
×：発生が認められ使用不可レベル。
××：著しく発生した。
【００３５】
実施例１
フラットヤーンとして、高密度ポリエチレン（密度＝０．９５９ｇ／ｃｍ3、融点＝１３４℃、メルトマスフローレイト＝０．８ｇ／１０分；ＪＩＳ  Ｋ  ７２１０：１９９９（条件Ｄ：１９０℃、２．１６Ｋｇ）に準じて測定。）のポリエチレン（ＰＥ１）を用い、口径６０ｍｍ押出機のＴダイ押出法にて溶融温度２４０℃でダイスより押出し、チルロールで冷却してフィルムを形成し、所定幅にスリット後、延伸温度１００℃、延伸倍率８倍、アニール温度１２０℃、乾式加熱延伸装置法で繊度１１００ｄｔｅｘのフラットヤーン（ＦＹ１）を得た。モノフィラメントとして、ＰＥ１を用い、口径５０ｍｍの押出機にて溶融温度２６０℃で紡糸ダイスよりフィラメントを押出し、冷却後延伸温度１００℃、延伸倍率８倍、アニール温度１２０℃、湿式加熱延伸装置法で繊度３３０ｄｔｅｘのモノフィラメント（ＭＦ１）を得た。本モノフィラメントをヨコ糸に用い、タテ糸にＦＹ１を用いて、バンド織機にてタテ織密度＝２０本／２５．４ｍｍ、ヨコ織密度＝２０本／２５．４ｍｍ、バンド幅４０ｍｍの平織り農業用ハウスバンドを製造した。このハウスバンドを用いた農業用ハウスは図１参照。試験の結果を表１に示した。このハウスバンドの評価結果は良好であった。
【００３６】
実施例２
タテ糸及びヨコ糸にＦＹ１を用いて、バンド織機にてタテ織密度＝２０本／２５．４ｍｍ、ヨコ織密度＝１０本／２５．４ｍｍ、バンド幅２５ｍｍの平織りとした以外は実施例１と同様に農業用ハウスバンドを製造した。このハウスバンドを用いた農業用ハウスは図１参照。試験の結果を表１に示した。このハウスバンドの評価結果は良好であった。
【００３７】
実施例３
タテ糸にＦＹ１を用いて、バンド織機にてタテ織密度＝４０本／２５．４ｍｍの平織りとした以外は実施例１と同様に農業用ハウスバンドを製造した。このハウスバンドを用いた農業用ハウスは図１参照。試験の結果を表１に示した。このハウスバンドの評価結果は良好であった。
【００３８】
実施例４
モノフィラメントとして、ＰＥ１を用い、口径５０ｍｍの押出機にて溶融温度２６０℃で紡糸ダイスよりフィラメントを押出し、冷却後延伸温度１００℃、延伸倍率8倍、アニール温度１２０℃、湿式加熱延伸装置法で繊度４４０ｄｔｅｘのモノフィラメント（ＭＦ２）を得た。ＭＦ２及びＦＹ１をタテ糸に用い、バンド織機にてタテ織密度＝（ＦＹ１が２７本＋ＭＦ２が１３本）／２５．４ｍｍの平織りとした以外は実施例１と同様に農業用ハウスバンドを製造した。このハウスバンドを用いた農業用ハウスは図１参照。試験の結果を表１に示した。このハウスバンドの評価結果は良好であった。
【００３９】
比較例１
バンド幅１０ｍｍとした以外は実施例１と同様に製造し評価した。試験の結果を表１に示した。クリープ伸度が大きい為ハウスフィルムの擦れ破断が発生した。バンド幅が１０ｍｍと狭い為ハウスフィルムの応力集中破断も発生した。
【００４０】
比較例２
バンド幅２５０ｍｍとした以外は実施例１と同様に製造し評価した。試験の結果を表１に示した。結束作業性が不良であった。更に２５０ｍｍと広幅の為、ハウス内の日照不良による生育障害が一部見られた。
【００４１】
比較例３
両端部に強化糸を入れ込んだ黒色バンド幅１０ｍｍのハウスバンドを用いた。このハウスバンドを用いた農業用ハウスは図２参照。試験の結果を表１に示した。ハウスフィルム
の応力集中による破断が見られ、剛軟度が大きい為結束作業性も不良であった。
【００４２】
比較例４
透明フィルムからなるバンド幅７０ｍｍのハウスバンドを用いた事以外は比較例１と同様な評価を実施した。このハウスバンドを用いた農業用ハウスは図３参照。試験の結果を表１に示した。ハウスバンドが農業ハウス被覆フィルムと簡単にブロッキングする為、バンドの再結束作業が困難となる。また前述のブロッキング界面に水分が滞留し易くなる為コケやカビが容易に発生し、ハウス内の日照不良による生育障害も見られた。
【００４３】
【表１】
0004609408.tif 000002
【図面の簡単な説明】
【００４４】
【図１】本発明の農業用ハウスバンドを用いた農業用ハウスの概略図である。
【図２】従来の狭幅ハウスバンドを用いた農業用ハウスの概略図である。
【図３】従来の透明フィルムハウスバンドを用いた農業用ハウスの概略図である。
【符号の説明】
【００４５】
１：金属パイプの骨組み
２：農業用フィルム
３：本発明の農業用ハウスバンド
４：従来のハウスバンド
５：農ＰＯフィルム用広幅フィルム
【図１】
0004609408.tif 000003
【図２】
0004609408.tif 000004
【図３】
0004609408.tif 000005